(57)【要約】【課題】外周の一部がカットされたレンズを固定したときに、レンズ鏡筒内部の気密性を保持する。【解決手段】レンズ２は、本体部２ａ、フランジ部２ｂを備える。フランジ部２ｂの後面の外周部に、フランジ凸部２ｅを全周に亘って形成する。レンズ２をフランジ部２ｂの一部を含めてカットして略Ｄ字状にする。フランジ部２ｂの外周面には、円形外周面２ｃ、カット外周面２ｄが形成される。レンズ鏡筒３の内周面３ａに、受け部３ｂを形成する。フランジ部２ｂの径が６ｍｍのレンズ２を、フランジ部２ｂを受け部３ｂに載せ、レンズ鏡筒３を回転させながら、吐出口５ｃの径が２ｍｍのディスペンサー５により、円形外周面２ｃ及びカット外周面２ｄの全範囲に、粘度が１０００００ＣＰＳ接着剤１２を塗布する。隙間Ｇは、接着剤１２により埋められる。【選択図】図７
2009036822.tif 000002
【特許請求の範囲】
【請求項１】
外周部に凸部が形成され、前記凸部を含む外周の一部が切り欠かれたレンズを、接着剤によりレンズ鏡筒に固定するレンズ固定方法において、
前記レンズを前記レンズ鏡筒の内部に挿入して前記凸部を前記レンズ鏡筒に設けられた受け部に載せ、
前記レンズの外周面の全範囲に、液体を吐出可能なディスペンサーにより前記接着剤を塗布することを特徴とするレンズ固定方法。
【請求項２】
前記レンズの径が６〜１５０ｍｍのときに、前記ディスペンサーの前記接着剤を吐出する吐出口の径を０．７〜２．４ｍｍとし、前記接着剤の粘度を３００００〜２０００００ＣＰＳとしたことを特徴とする請求項１記載のレンズ固定方法。
【請求項３】
前記レンズ鏡筒を回転させながら前記接着剤を塗布することを特徴とする請求項１または２記載のレンズ固定方法。
【請求項４】
前記レンズを、金型を用いて射出成形された樹脂により構成し、
射出成形により前記レンズの外周面に形成されたゲート部をカットして、前記切り欠かれた部分を形成したことを特徴とする請求項１ないし３いずれか１つ記載のレンズ固定方法。
【発明の詳細な説明】
【技術分野】
【０００１】
本発明は、レンズ固定方法に関し、詳しくは接着剤の塗布に関するものである。
【背景技術】
【０００２】
カメラ等に用いられるレンズは、金型を用いた射出成形により成形された樹脂により構成されており、レンズをレンズ鏡筒に固定するときには、接着剤を用いて固定している（例えば、特許文献１参照）。
【０００３】
射出成形では、レンズと成形材料の供給路であるスプールランナーとがゲートを介してつながった形で形成される。ゲートをカットしてレンズとスプールランナーとを切り離しても、切断跡が残るため、ゲート跡を含むレンズの外周部の一部をカットして、円形状のレンズをＤ字状にしている。Ｄカットされたレンズを、レンズ鏡筒に固定するときには、レンズをレンズ鏡筒の受け部に載せた後、ディスペンサーにより、レンズの外周面に接着剤を塗布して、接着剤により固定する。
【０００４】
また、レンズをレンズ鏡筒の受け部に載せる場合には、レンズの外周部に全周に亘って形成された凸部を、レンズ鏡筒の受け部に載せている。上記Ｄカット時には、凸部の一部もカットされる。
【特許文献１】特開平７−１５９６６３号公報
【発明の開示】
【発明が解決しようとする課題】
【０００５】
レンズをＤカットする時に凸部の一部もカットされるため、レンズのＤカットされた部分とレンズ鏡筒の受け部との間には隙間が生じる。このため、隙間からレンズ鏡筒内部にゴミが入ってしまうという問題があった。さらには、レンズ鏡筒の気密性が悪く、隙間から水分を含む空気が侵入した場合には、レンズ鏡筒内部が曇ってしまうという問題があった。
【０００６】
本発明は、上記課題を解決するためになされたものであり、外周の一部が切りかかれたレンズを固定するときにも、レンズ鏡筒内部の気密性を保持することができるレンズ固定方法を提供することを目的とする。
【課題を解決するための手段】
【０００７】
上記目的を達成するために、本発明のレンズ固定方法は、外周部に凸部が形成され、前記凸部を含む外周の一部が切り欠かれたレンズを、接着剤によりレンズ鏡筒に固定するレンズ固定方法において、前記レンズを前記レンズ鏡筒の内部に挿入して前記凸部を前記レンズ鏡筒に設けられた受け部に載せ、前記レンズの外周面の全範囲に、液体を吐出可能なディスペンサーにより前記接着剤を塗布することを特徴とする。
【０００８】
また、前記レンズの径が６〜１５０ｍｍのときに、前記ディスペンサーの前記接着剤を吐出する吐出口の径を０．７〜２．４ｍｍとし、前記接着剤の粘度を３００００〜２０００００ＣＰＳ（センチポアズ）とすることが好ましい。なお、前記接着剤は、紫外線により硬化するものが好ましく、前記接着剤の粘度は、紫外線により硬化する前の粘度である。
【０００９】
さらに、前記レンズ鏡筒を回転させながら前記接着剤を塗布することが好ましい。なお、前記レンズ鏡筒を回転させたときには、前記レンズも一緒に回転するものである。
【００１０】
また、前記レンズを、金型を用いて射出成形された樹脂により構成し、射出成形により前記レンズの外周面に形成されたゲート部をカットして、前記切り欠かれた部分を形成することが好ましい。
【発明の効果】
【００１１】
本発明のレンズ固定方法によれば、レンズの外周面の全範囲に接着剤を塗布するから、レンズの切りかかれた部分とレンズ鏡筒の受け部との隙間を接着剤で埋めることができる。これにより、レンズ鏡筒内部の気密性を保持することができる。
【００１２】
また、レンズの径が６〜１５０ｍｍのときに、ディスペンサーの吐出口の径を０．７〜２．４ｍｍとし、接着剤の粘度を３００００〜２０００００ＣＰＳとすることにより、確実に、上記隙間を埋めることができる。
【発明を実施するための最良の形態】
【００１３】
図１及び図２に示すように、レンズ２は、レンズ鏡筒３に固定されるものであり、金型を用いて射出成形された樹脂により構成されている。レンズ２は、本体部２ａと、フランジ部２ｂとを備える。フランジ部２ｂの外周面には、射出成形時にゲートが形成される。レンズ２をレンズ鏡筒３に固定する前に、ゲートをレンズ２側の根元からカットし、さらに、ゲート跡をカットして、レンズ２を略Ｄ字状にする。このため、フランジ部２ｂの外周面には、円形部分の外周面としての円形外周面２ｃと、カットされた部分の外周面としてのカット外周面２ｄとが形成される。本実施形態では、フランジ部２ｂの円形部分の径が６ｍｍのレンズ２を用いる。
【００１４】
フランジ部２ｂの後面（図１及び図２における下面）の外周部には、フランジ凸部２ｅが全周に亘って形成されている。上記ゲート跡のカット時に、フランジ部２ｂの一部もカットされる。
【００１５】
レンズ鏡筒３は円筒状に形成され、その内径が、フランジ部２ｂの外径よりも若干大きくなるように形成されている。レンズ鏡筒３の内周面３ａには、レンズ２が載せられる受け部３ｂが形成されている。また、受け部３ｂには、フランジ凸部２ｅを受け部３ｂの上に載せたときに、本体部２ａの上下方向の中心軸とレンズ鏡筒３の上下方向の中心軸とが同軸となるように、レンズ２の径方向の位置決めを行う位置決め凸部（図示せず）が形成されている。これにより、円形外周面２ｃと内周面３ａとの隙間は、一定となる。
【００１６】
上記ゲート跡のカット時に、フランジ部２ｂの一部もカットされるため、図２（Ｂ）に示すように、レンズ２のＤカットされた部分では、レンズ２と受け部３ｂとの間には隙間Ｇが生じる。
【００１７】
図３に示すように、レンズ２をレンズ鏡筒３に固定するときには、接着装置４を用いて行う。接着装置４は、ディスペンサー５が先端に取り付けられ、左右方向に移動自在に設けられた温調機６と、レンズ鏡筒３を保持する保持台７と、保持台７を移動及び回転自在に支持する支持台８とを備える。接着装置４は、保持台７を上下方向に移動させるとともに回転させる移動回転機構９と、温調機６を左右方向に移動させる移動機構１０と、各機構９，１０の駆動を制御する制御部１１とを備える。
【００１８】
温調機６の内部には、硬化する前の粘度が１０００００ＣＰＳの紫外線硬化タイプの接着剤１２（図６及び図７参照）が格納されており、温度を調整した接着剤１２をディスペンサー５に送る。温調機６は、ディスペンサー５により接着剤１２を塗布する図４及び図５に示す塗布位置と、塗布位置から退避した図３に示す退避位置との間で移動自在に設けられている。図６に示すように、温調機６は、塗布位置に位置するときには、ディスペンサー５が吐出位置ＳＰで接着剤１２を吐出するように設けられている。
【００１９】
図２及び図３に示すように、ディスペンサー５は、接着剤１２が格納される格納部５ａと、格納部５ａに連結されたノズル５ｂとを備える。ディスペンサー５は、制御部１１に接続されており、制御部１１により駆動が制御される。ディスペンサー５により接着剤１２を塗布するときには、制御部１１は、格納部５ａに設けられた吐出機構（図示せず）を駆動して、一定の吐出圧（例えば、４Ｋｇ／ｃｍ２）でノズル５ｂの吐出口５ｃから接着剤１２を吐出させる。本実施形態では、吐出口５ｃの径が２ｍｍのディスペンサー５が用いられる。なお、吐出圧は、３〜５Ｋｇ／ｃｍ２であれば適宜変更可能である。
【００２０】
図３に示すように、保持台７は、レンズ鏡筒３を位置決め及び保持するものであり、レンズ鏡筒３が挿入される挿入凹部７ａが形成され、挿入凹部７ａには、位置決め部７ｂが形成されている。位置決め部７ｂは、挿入凹部７ａに挿入されたレンズ鏡筒３の上下方向の中心軸が、保持台７の上下方向の中心軸と同軸となるように位置決めする。保持台７の内部には、挿入凹部７ａに挿入されたレンズ鏡筒３を吸着する吸着部１５が設けられている。吸着部１５は、制御部１１に接続されており、制御部１１により駆動が制御される。吸着部１５によりレンズ鏡筒３を吸着すると、レンズ鏡筒３は保持台７に保持される。これにより、保持台７が回転すると、レンズ鏡筒３も一緒に回転する。保持台７は、ディスペンサー５に近接する図５に示す上位置と、上位置から下方に退避した図３及び図４に示す下位置との間で移動自在に設けられている。
【００２１】
支持台８には、スタートスイッチ１７が設けられ、スタートスイッチ１７は、制御部１１に接続されている。オペレータが、スタートスイッチ１７を押圧すると、制御部１１にスタート信号が入力され、制御部１１は、スタート信号が入力されたことに応答して、ディスペンサー５及び各機構９，１０の駆動を制御して、接着剤１２の塗布を行う。
【００２２】
レンズ２をレンズ鏡筒３に固定するときには、図２（Ｂ）及び図３に示すように、レンズ鏡筒３を、保持台７の挿入凹部７ａに挿入した後、フランジ部２ｂを受け部３ｂに載せる。このとき、オペレータは、図６（Ａ）に示すように、カット外周面２ｄが左側を向くように、レンズ２を位置決めしてレンズ鏡筒３に載せる。この状態で、オペレータが、スタートスイッチ１７を押圧すると、図４に示すように、制御部１１は、移動機構１０を駆動して、温調機６を塗布位置に移動させる。次に、図５に示すように、制御部１１は、吸着部１５を駆動してレンズ鏡筒３を吸着した後、移動回転機構９を駆動して、保持台７を上位置に移動させる。
【００２３】
そして、図６及び図７に示すように、制御部１１は、移動回転機構９を駆動して、保持台７とともにレンズ鏡筒３を図６中矢印方向に回転させながら、ディスペンサー５を駆動して、接着剤１２を吐出させるように制御する。
【００２４】
制御部１１は、レンズ鏡筒３が１回転されたことに応じて、ディスペンサー５の駆動を停止して、接着剤１２の吐出を停止する制御を行う。これにより、円形外周面２ｃ及びカット外周面２ｄの全範囲に、接着剤１２を塗布することができる。なお、図７においては、保持台７及び支持台８の図示を省略している。また、接着装置４には、紫外線照射機（図示せず）が設けられている。この紫外線照射機は、接着剤１２を塗布してから６０秒以内に紫外線を照射するようにされており、接着剤１２は、照射された紫外線により硬化する。
【００２５】
接着剤１２は、粘度が１０００００ＣＰＳであるため、カット外周面２ｄと内周面３ａとの間に吐出された接着剤１２は、隙間Ｇから流れ出ることがなく、隙間Ｇを埋めるようにして硬化する。
【００２６】
制御部１１は、ディスペンサー５の駆動を停止した後、移動回転機構９の駆動を停止して、保持台７の回転を停止する。次に、制御部１１は、移動回転機構９を駆動して、保持台７を下位置に移動させた後、吸着部１５によるレンズ鏡筒３の吸着を解除する。そして、制御部１１は、移動機構１０を駆動して、温調機６を退避位置に移動させる。
【実施例】
【００２７】
［レンズ固定］
接着装置４を用いて、フランジ部２ｂの円形部分の径が６ｍｍのレンズ２を、レンズ鏡筒３に固定する。移動回転機構９を駆動して、保持台７とともにレンズ鏡筒３を回転させながら、ディスペンサー５により、接着剤１２を、円形外周面２ｃ及びカット外周面２ｄの全範囲に塗布する。ディスペンサー５による吐出圧は、４Ｋｇ／ｃｍ２とした。
【００２８】
実施例１では、粘度が１０００００ＣＰＳの紫外線硬化タイプの接着剤１２を使用し、吐出口５ｃの径が２ｍｍのディスペンサー５を使用した。そして、接着剤１２によるレンズ２の固定状態を目視により確認し、レンズ２がしっかりと固定され、本体部２ａに接着剤１２の付着がなく、隙間Ｇが接着剤１２で埋められるとともに接着剤１２が隙間Ｇから液ダレしていない場合に○とし、それ以外を×とした。以下、実施例１に対して、接着剤１２の粘度、吐出口５ｃの径を代えて、比較例１〜４を得た。その他の成形条件は、実施例１と同じにした。この実験の結果を表１に示す。
【００２９】
【表１】
2009036822.tif 000003
【００３０】
本実験の結果、実施例１では、レンズ２がしっかりと固定され、隙間Ｇが接着剤１２で埋められ、且つ、接着剤１２が隙間Ｇから液ダレしていなかった。さらに、本体部２ａに接着剤１２が付着することがなかった。
【００３１】
比較例１では、接着剤１２の粘度が実施例１に比べて高いため、吐出口５ｃの径が２ｍｍのディスペンサー５では、接着剤１２を吐出することができずに、レンズ２をレンズ鏡筒３に固定することができなかった。
【００３２】
比較例２では、接着剤１２の粘度が実施例１に比べて低いため、接着剤１２が隙間Ｇから液ダレしてしまい、さらには、隙間Ｇを接着剤１２で埋めることができなかった。
【００３３】
比較例３では、吐出口５ｃの径が実施例１に比べて大きいため、接着剤１２を塗布するときに、フランジ部２ｂの表面にも接着剤１２が吐出されてしまい、本体部２ａに接着剤１２が付着してしまった。
【００３４】
比較例４では、吐出口５ｃの径が実施例１に比べて小さいため、粘度が５００００ＣＰＳの接着剤１２を吐出することができずに、レンズ２をレンズ鏡筒３に固定することができなかった。
【００３５】
また、フランジ部２ｂの円形部分の径が１５０ｍｍのレンズ２を、レンズ鏡筒３に固定する場合にも、上記した実験結果と同様の結果を得た。
【００３６】
このように、フランジ部２ｂの円形部分の径が６ｍｍのレンズ２をレンズ鏡筒３に固定する場合には、粘度が１０００００ＣＰＳの紫外線硬化タイプの接着剤１２を、吐出口５ｃの径が２ｍｍのディスペンサー５により、円形外周面２ｃ及びカット外周面２ｄの全範囲に塗布するから、接着剤１２が隙間Ｇから液ダレすることなく、接着剤１２により隙間Ｇを埋めることができる。これにより、レンズ鏡筒３の内部の気密性を保持することができる。
【００３７】
なお、上記実施形態では、樹脂製のレンズ２をレンズ鏡筒３に固定したが、外周部の一部が切り欠かれたガラスレンズを、レンズ鏡筒３に固定する場合にも、本発明は効果的である。
【００３８】
また、上記実施形態では、フランジ凸部２ｅを受け部３ｂに載せたが、フランジ凸部２ｅを形成せずに、フランジ部２ｂの後面を受け部３ｂに載せる場合、特に、受け部３ｂが、レンズ２をレンズ鏡筒３にセットしたときに、カット外周面２ｄと受け部３ｂの内周面との間に、径方向において隙間が生じるような径で形成されている場合にも、カット外周面２ｄに塗布された接着剤１２により上記隙間を埋めることができる。これにより、レンズ鏡筒３の内部の気密性を保持することができる。なお、上記隙間の量に応じて、接着剤１２の粘度を適宜変更するものである。
【００３９】
さらに、受け部３ｂを設けずに、レンズ２をレンズ鏡筒３に挿入したときに、円形外周面２ｃが内周面３ａに当接してレンズ２の径方向の位置決めが行われるようにし、カット外周面２ｄと内周面３ａとの間に、径方向において隙間が生じる場合にも、カット外周面２ｄに塗布された接着剤１２により上記隙間を埋めることができる。これにより、レンズ鏡筒３の内部の気密性を保持することができる。なお、上記隙間の量に応じて、接着剤１２の粘度を適宜変更するものである。
【図面の簡単な説明】
【００４０】
【図１】レンズとレンズ鏡筒とを示す斜視図である。
【図２】レンズとレンズ鏡筒とディスペンサーとを示す側面断面図である。
【図３】レンズとレンズ鏡筒と接着装置とを示す側面図である。
【図４】温調機が塗布位置に移動したときのレンズとレンズ鏡筒と接着装置とを示す側面図である。
【図５】保持台が上位置に移動したときのレンズとレンズ鏡筒と接着装置とを示す側面図である。
【図６】レンズとレンズ鏡筒とを示す上面図である。
【図７】ディスペンサーにより接着剤を塗布するときのレンズとレンズ鏡筒とディスペンサーとを示す側面断面図である。
【符号の説明】
【００４１】
２  レンズ
２ａ  本体部
２ｂ  フランジ部
２ｃ  円形外周面
２ｄ  カット外周面
２ｅ  フランジ凸部
３  レンズ鏡筒
３ａ  内周面
３ｂ  受け部
４  接着装置
５  ディスペンサー
５ａ  格納部
５ｂ  ノズル
５ｃ  吐出口
１１  制御部
１２  接着剤
【図１】
2009036822.tif 000004
【図２】
2009036822.tif 000005
【図３】
2009036822.tif 000006
【図４】
2009036822.tif 000007
【図５】
2009036822.tif 000008
【図６】
2009036822.tif 000009
【図７】
2009036822.tif 000010